(57)【要約】金融取引システムは、一以上のワイヤレス、あるいはワイヤ装置、もしくはこれらの装置の組み合わせが、１つのオンラインの金融口座から別の金融口座へ、通貨または金融資金の送信が実行されるのを許可する。ユーザのプロファイルが生成された後、プロファイル、資金の有効性、セキュリティ関連問題、および適切な口座のデビットおよびクレジットを検証するために、必要な全ステップがユーザの装置から素早くかつ容易に実行され得る。従って、取引システムはワイヤあるいはワイヤレス装置もしくは器具間の資金の送信を許可する。【特許請求の範囲】
【請求項１】
金融取引システムであって、
一以上のワイヤレス装置から被支払人、ユーザおよび金額情報を受信する支払い処理システムと、
金融取引システムと共に登録されている一以上のユーザに関する情報を維持するユーザプロファイルデータベースと、
登録されているユーザに関連する第１のオンライン口座と、一以上のオンライン口座との間のクレジットおよびデビット情報の少なくとも１つを送信する取引処理装置を含む、金融取引システム。
【請求項２】
ユーザプロファイルと被支払人プロファイルの少なくとも１つを判定するプロファイル判定装置をさらに含む、請求項１に記載のシステム。
【請求項３】
ユーザプロファイルは、金融情報、装置情報、セキュリティ情報、履歴情報、取引情報および許可された受取人情報の少なくとも１つを含む、請求項２に記載のシステム。
【請求項４】
プロファイル判定装置は、ルックアップ技術、識別情報および別のプロファイルデータベースの少なくとも１つに基づいて、被支払人プロファイルを判定する、請求項２に記載のシステム。
【請求項５】
クレジットおよびデビット情報の少なくとも１つの送信についての情報を記録する取引データベースをさらに含む、請求項１に記載のシステム。
【請求項６】
一以上の装置は、個人用情報電子機器（ＰＤＡ）、携帯電話、ワイヤレスのポケットベル、ＰＣタブレット、テレビ、パーソナルコンピュータ、ワイヤレスのｅメール装置、ワイヤレス電話、器具、冷蔵庫、洗濯機、分散されたネットワークアクセス装置の少なくとも１つである、請求項１に記載のシステム。
【請求項７】
クレジットおよびデビット情報の少なくとも１つを受信する一以上のクレジット装置をさらに含む、請求項１に記載のシステム。
【請求項８】
登録されているユーザに関する情報は、名前、年齢、住所、都市、州、電話、ＦＡＸ、ｅメールアドレスおよびワイヤレス電話の番号のユーザに関する個人情報の少なくとも１つを含む、請求項１に記載のシステム。
【請求項９】
パスワードのモニタ、情報の暗号化、ユーザ情報のモニタの少なくとも１つを行うセキュリティ装置をさらに含む、請求項１に記載のシステム。
【請求項１０】
一以上の装置は、ワイヤおよびワイヤレスの通信ネットワークの少なくとも１つの少なくとも一部を介して、取引処理装置と通信する、請求項１に記載のシステム。
【請求項１１】
金融取引を実行するための方法であって、
一以上のワイヤレス装置から被支払人、ユーザおよび金額情報を受信するステップと、
金融取引システムに登録されている一以上のユーザに関する情報を維持するステップと、
登録されているユーザに関連する第１のオンライン口座と、一以上のオンライン口座との間で、クレジットおよびデビット情報の少なくとも１つを送信するステップを含む、方法。
【請求項１２】
ユーザプロファイルと被支払人プロファイルの少なくとも１つを判定するステップをさらに含む、請求項１１に記載の方法。
【請求項１３】
ユーザ情報は、金融情報、装置情報、セキュリティ情報、履歴情報、取引情報および許可された受取人情報の少なくとも１つを含む、請求項１２に記載の方法。
【請求項１４】
被支払人プロファイルは、ルックアップ技術、識別情報および別のプロファイルデータベースの少なくとも１つに基づいている、請求項１２に記載の方法。
【請求項１５】
クレジットおよびデビット情報の少なくとも１つの送信に関する情報を記録するステップをさらに含む、請求項１１に記載の方法。
【請求項１６】
一以上の装置は、個人用情報電子機器（ＰＤＡ）、携帯電話、ワイヤレスのポケットベル、ＰＣタブレット、テレビ、パーソナルコンピュータ、ワイヤレスのｅメール装置、ワイヤレス電話、器具、冷蔵庫、洗濯機、分散されたネットワークアクセス装置の少なくとも１つである、請求項１１に記載の方法。
【請求項１７】
クレジットおよびデビット情報の少なくとも一つを、一以上のオンライン口座に送信するステップをさらに含む、請求項１１に記載の方法。
【請求項１８】
登録されているユーザに関する情報は、名前、年齢、住所、都市、州、電話、ＦＡＸ、ｅメールアドレスおよびワイヤレス電話の番号のユーザに関する個人情報の少なくとも１つを含む、請求項１１に記載の方法。
【請求項１９】
パスワードのモニタ、情報の暗号化、ユーザ情報のモニタの少なくとも１つのステップをさらに含む、請求項１１に記載の方法。
【請求項２０】
一以上の装置は、ワイヤおよびワイヤレスの通信ネットワークの少なくとも１つの少なくとも一部上で通信する、請求項１１に記載の方法。
【請求項２１】
金融取引を実行するための情報を含む情報記憶媒体であって、
一以上のワイヤレス装置から被支払人、ユーザおよび金額情報を受信する情報と、
金融取引システムに登録されている一以上のユーザに関する情報を維持する情報と、
登録されているユーザに関する第１のオンライン口座と、一以上のオンライン口座との間で、クレジットおよびデビット情報の少なくとも１つを送信する情報を含む、情報記憶媒体。
【請求項２２】
ユーザプロファイルおよび被支払人プロファイルの少なくとも１つを判定する情報をさらに含む、請求項２１に記載の媒体。
【請求項２３】
ユーザプロファイルは、金融情報、装置情報、セキュリティ情報、履歴情報、取引情報および許可された受取人情報の少なくとも１つを含む、請求項２２に記載の媒体。
【請求項２４】
被支払人プロファイルは、ルックアップ技術、識別情報および別のプロファイルデータベースの少なくとも１つに基づいている、請求項２２に記載の媒体。
【請求項２５】
クレジットおよびデビット情報の少なくとも１つの送信に関する情報を記録する情報をさらに含む、請求項２１に記載の媒体。
【請求項２６】
一以上の装置は、個人用情報電子機器（ＰＤＡ）、携帯電話、ワイヤレスのポケットベル、ＰＣタブレット、テレビ、パーソナルコンピュータ、ワイヤレスのｅメール装置、ワイヤレス電話、器具、冷蔵庫、洗濯機、分散されたネットワークアクセス装置の少なくとも１つである、請求項２１に記載の媒体。
【請求項２７】
クレジットおよびデビット情報の少なくとも１つを、一以上のオンライン口座に送信する情報をさらに含む、請求項２１に記載の媒体。
【請求項２８】
登録されているユーザに関する情報は、名前、年齢、住所、都市、州、電話、ＦＡＸ、ｅメールアドレスおよびワイヤレス電話の番号のユーザに関する個人情報の少なくとも１つを含む、請求項２１に記載の媒体。
【請求項２９】
パスワードのモニタ、情報の暗号化、ユーザ情報のモニタの少なくとも１つの情報をさらに含む、請求項２１に記載の媒体。
【請求項３０】
一以上の装置は、ワイヤおよびワイヤレスの通信ネットワークの少なくとも１つの少なくとも一部上で通信する、請求項２１に記載の媒体。
【請求項３１】
金融取引システムであって、
一以上の器具から被支払人、ユーザ、識別および金額情報を受信する支払い処理システムと、
金融取引システムに登録されている一以上のユーザに関する情報を維持するユーザプロファイルデータベースと、
登録されているユーザに関する第１のオンライン口座と、一以上のオンライン口座との間で、クレジットおよびデビット情報の少なくとも１つを送信する取引処理装置を含む、金融取引システム。
【請求項３２】
ユーザプロファイルと被支払人プロファイルの少なくとも１つを判定するプロファイル判定装置をさらに含む、請求項３１に記載のシステム。
【請求項３３】
ユーザプロファイルは、金融情報、装置情報、セキュリティ情報、履歴情報、取引情報および許可された受取人情報の少なくとも１つを含む、請求項３２に記載のシステム。
【請求項３４】
プロファイル判定装置は、ルックアップ技術、識別情報および別のプロファイルデータベースの少なくとも１つに基づいて、被支払人プロファイルを判定する、請求項３２に記載のシステム。
【請求項３５】
クレジットおよびデビット情報の少なくとも１つの送信に関する情報を記録する取引データベースをさらに含む、請求項３１に記載のシステム。
【請求項３６】
一以上の器具は、家庭用器具、テレビ、自動販売機、冷蔵庫、洗濯機、ヒータ、エアーコンディショナおよび冷蔵庫の少なくとも１つである、請求項３１に記載のシステム。
【請求項３７】
クレジットおよびデビット情報の少なくとも１つを受信する一以上のクレジット装置をさらに含む、請求項３１に記載のシステム。
【請求項３８】
登録されているユーザに関する情報は、名前、年齢、住所、都市、州、電話、ＦＡＸ、ｅメールアドレスおよびワイヤレス電話の番号のユーザに関する個人情報の少なくとも１つを含む、請求項３１に記載のシステム。
【請求項３９】
パスワードのモニタ、情報の暗号化、ユーザ情報のモニタの少なくとも１つを行うセキュリティ装置をさらに含む、請求項３１に記載のシステム。
【請求項４０】
一以上の装置は、ワイヤおよびワイヤレスの通信ネットワークの少なくとも１つの少なくとも一部を介して、取引処理装置と通信する、請求項３１に記載のシステム。
【請求項４１】
識別情報は、シリアルナンバ、電子番号識別子およびＩＰアドレスの一以上を含む、請求項３１に記載のシステム。
【発明の詳細な説明】
【発明の背景】
【０００１】
[発明の要約]
【０００２】
［０００１］  この発明は、一般に金融関連取引に関する。特に、この発明は通貨あるいは金融資金を１つの金融口座から別の金融口座へ送信することに関する。
【関連技術の説明】
【０００３】
［０００２］  インターネットは、品物およびサービスを購入する従来の方法を徹底的に変えている。例えば、ユーザがウエブサイトを設立し、自分の特定の商品および／またはサービスを販売したければ、ユーザはクレジットカード遂行処理システムを設立することができる。オンラインでの人から人への支払いシステム、あるいはマイクロペイメントのシステム遂行には、お互いの間でお金をｅメール送信することを本質的に人々に許可する「バーチャル銀行」を利用する。特に、オンラインでの人から人への支払いシステム、あるいはマイクロペイメントのシステムは、バーチャル銀行で１つのオンライン口座から別のオンライン口座へ、お金を送信する。特に、ユーザは、www.paypal.comのような、オンラインの人から人への支払いシステム、あるいはマイクロペイメントシステムの遂行サイトの１つにログオンし、自分のオンライン口座から、例えば、バーチャル銀行によって管理されている買手の口座へ、資金を送信する。それから当事者は、金融取引が発生したことを警告され、金額が自分のバーチャル銀行の口座に移る。
【発明の要約】
【０００４】
［０００３］  既存の電子金融送信システムは概してよく機能しているが、それらは少なくとも、１つのワイヤレス装置から、一以上の他のワイヤ（有線の）および／またはワイヤレス（無線の）装置、あるいはその逆への通貨あるいは金融資金を送信する能力を許可することに欠けている。
【０００５】
［０００４］  この発明のシステムおよび方法は、ワイヤレスあるいはワイヤ装置、もしくは装置の組み合わせのユーザが、１つのオンラインの金融口座から一以上のオンラインの金融口座へ、通貨あるいは金融資金の送信を実行するのを許可する。概して、この発明の模範的な実施例において、ユーザの口座のプロファイルが生成された後、プロファイル、口座の資金の有効性、セキュリティ関連機能、および各口座のデビットおよびクレジットを検証するための必要なステップが全て、ユーザ装置から開始され得る。従って、この発明のシステムおよび方法は、一以上のワイヤおよび／またはワイヤレス装置間での資金の送信を許可する。
【０００６】
［０００５］  例えば、ある個人が自分が勤務中にＸＹＺ修理会社に、自分のエアーコンディショナを修理してほしいと要求すると仮定する。修理工とその個人との間には個人的な相互連関がないので、修理工に支払う容易な方法がない。この発明のシステムおよび方法を使用すると、個人はエアーコンディショナの修理が完了したことを提示する修理工からの呼出を受信することができる。それから、個人は、例えば、個人用情報電子機器（ＰＤＡ）を使用して、ＸＹＺ修理の金融口座への支払いを行うことができる。特に、個人は自分の口座にログインし、被支払人および金額を明記し、例えば、「支払い提出」ボタンをクリックして、個人の口座から「ＸＹＺ」の修理の口座へ資金を送信することができる。
【０００７】
［０００６］  この発明の局面は、金融取引システムに関する。支払い処理システムは、１つのオンライン金融口座から別のオンライン金融口座へ、通貨または金融資金の送信を許可する。
【０００８】
［０００７］  この発明の局面はまた、通貨または金融資金を、１つのワイヤレス装置から一以上の他のワイヤおよび／またはワイヤレス装置、あるいはその逆に送信するためのシステムおよび方法に関する。
【０００９】
［０００８］  この発明の局面はまた、一以上の実体間で金融取引を管理するためのシステムおよび方法にも関する。
【００１０】
［０００９］  この発明の局面はさらに、支払人および被支払人のプロファイル情報を判定し、格納し、維持することに関する。このプロファイル情報は、例えば、ユーザ情報、金融情報、装置情報、セキュリティ情報、履歴情報、傾向の情報、自動支払い情報および取引情報を含み得る。
【００１１】
［００１０］  この発明のこれらおよび他の特性および利点は、実施例の以下の詳細な説明において記載され、あるいは明白である。
【００１２】
［００１５］  この発明のシステムおよび方法は、１つのワイヤレス装置から一以上のワイヤあるいはワイヤレス装置、あるいはその逆に通貨もしくは金融資金を送信する能力を提供することである。模範的な実施例において、ワイヤあるいはワイヤレス装置のユーザは、多数のワイヤあるいはワイヤレス装置の任意のものからアクセスされ、かつ利用され得る自分の金融口座のプロファイルを確立する。それからユーザの金融プロファイルは例えばセキュアサーバに格納され得る。セキュアサーバは、ユーザ情報のような通貨を送信するのに必要なデータ、通貨関連取引を実行するのに適切な金融データ、例えば一以上の装置を識別する装置情報、セキュリティ情報、および例えば、以前および／または今後の取引に関連する、あるいは利用される追加のプロファイルあるいは人工統計学的なデータを含む。さらに、プロファイルは電子番号（ＥＮＵＭ）、ＩＰアドレス、シリアルナンバ、あるいは同様のもののような独自の識別子を含むことができ、ユーザによって使用される一以上のワイヤあるいはワイヤレス装置を識別するために利用され得る。
【００１３】
［００１６］  ユーザは最初のプロファイルの設定を完了した後、ユーザは最初の装置から一以上の別のワイヤあるいはワイヤレス装置へ、通貨あるいは金融資金を送信する能力を有する。特に、この発明の模範的な実施例において、ユーザは、例えば、グラフィカルユーザインターフェイス、あるいは特定の装置上の別の入力インターフェイスから、別の口座へ送信するために、通貨の金額、そして任意で自分のパスワードを入力することができる。次に、ユーザは、例えば、一以上の他の装置、あるいは実体に対応する独自の識別子を選択し、通貨を送信することができる。それから、模範的な実施例において、検証およびセキュリティステップを完了すると、この発明のシステムおよび方法は、１つの口座から他へ資金の送信を開始することができる。
【００１４】
［００１７］  特に、この発明の模範的な実施例において、支払い処理システムは、１つの口座から一以上の口座へ資金の送信を実行する要求をユーザの装置から受信する。最初に、支払い処理システムは、例えば、口座の残高、ユーザの識別、あるいは同様のものを検証することで、取引が実行され得るか否かを検証する。取引が実行され得ると検証すると、支払い処理システムは通貨あるいは金融資金の送信に係る口座を、正確にデビットおよびクレジットするために必要なプロセスを実行する。検証メッセージはそれから、取引に係る各装置および／または実体の一以上の譲渡人および譲受人に送信され得る。
【００１５】
［００１８］  図１はこの発明に従う取引システム１００の模範的な実施例を説明する。特に、取引システム１００は、リンク５およびネットワーク１０によって相互に連結される一以上のワイヤレス装置２００、一以上のワイヤ（有線）装置３００、クレジット装置４００および支払い処理システム５００を含む。ワイヤレス装置２００は、リンク５によって相互に連結されている入出力コントローラ２１０、メモリ２２０、コントローラ２３０、入力装置２４０およびディスプレイ装置２５０を含む。同様に、ワイヤ装置３００はワイヤレス装置２００と同等の要素を有し得る。クレジット装置４００はコントローラ４１０、入出力インターフェイス４２０、メモリ４３０および口座管理装置４４０を含む。支払い処理システム５００は、コントローラ５１０、入出力インターフェイス５２０、メモリ５３０、プロファイル判定装置５４０、セキュリティ装置５５０、ユーザプロファイルデータベース５６０、取引データベース５７０、および取引処理装置５８０を含み、それらはすべてリンク５によって相互に連結されている。
【００１６】
［００１９］  図１に示されている模範的な実施例は、取引システム１００の各種要素が一緒に配置されていることを示しているが、取引システムの各種要素はローカルエリアネットワーク、ワイドエリアネットワーク、電気通信ネットワーク、イントラネットおよび／またはインターネットのような分散されたネットワークの離れた部分、あるいは専用の取引システム内に位置し得ることが理解される。従って、取引システム１００の要素が一以上の装置に結合され得るか、あるいは分散されたネットワークの特定のノード上に共に配置され得ることが理解されるべきである。以下の説明から理解されるように、そしてコンピュータの効率の理由で、取引システム１００の要素はシステムの操作に影響することなく、分散されたネットワーク内のあらゆる場所に配置され得る。
【００１７】
［００２０］  さらに、リンク５はワイヤあるいはワイヤレスリンク、あるいはその組み合わせ、あるいは接続された要素へおよびから電子データを供給しかつ通信することのできる公知の、もしくは後に開発された要素であり得る。さらに、ネットワーク１０はワイヤあるいはワイヤレスネットワーク、もしくはその組み合わせであり得、それは接続された要素へおよびから電子データを提供しかつ通信することができる。
【００１８】
［００２１］  ワイヤレスおよびワイヤ装置２００と３００は各々、金融取引が達成され得るあらゆる装置、あるいは装置の組み合わせであり得る。例えば、装置は個人用情報電子機器（ＰＤＡ）、携帯電話、ワイヤレスのポケットベル、ＰＣタブレット、テレビ、パーソナルコンピュータ、ワイヤレスのｅメール装置、ワイヤレス電話、あるいは同様のもの、もしくは例えば、冷蔵庫、洗濯機、インターネットアクセス装置、あるいは分散されたネットワークとワイヤあるいはワイヤレス接続を有する同様のものであり得る。例えば、器具はこの発明のシステムおよび方法にアクセスするのを許可する「ブルートゥース」型の通信計画を実行してもよい。
【００１９】
［００２２］  操作において、例えばワイヤレス装置２００あるいはワイヤ装置３００を介してユーザは取引を開始する。例えば、入力装置２４０およびディスプレイ装置２５０を介してユーザは、コントローラ２３０、メモリ２２０および入出力コントローラ２１０と協同で、金融取引が所望されていることを提示する。例えば、入力装置２４０はキーボード、マウス、音声テキスト変換器、スタイラス、キーパッド、あるいは同様のものであり得る。同様に、ディスプレイ装置２５０はコンピュータモニタ、ＰＤＡのディスプレイ、あるいは情報を一以上のユーザに表示することのできる他のあらゆる装置であり得る。概して、入力装置２４０はユーザから情報を受信することのできるあらゆる入力装置であり得る。
【００２０】
［００２３］  ユーザがワイヤレス装置２００から金融取引を所望していることを提示すると、この要求は、ネットワーク１０を介して、リンク５と協同して、支払い処理システム５００へ送信される。支払い処理システム５００は、コントローラ５１０、入出力インターフェイス５２０、メモリ５３０およびユーザのプロファイルデータベース５６０と協同して、この特定のユーザにとってこれが最初の支払い処理システムの使用か否かを判定する。それが最初の使用であれば、プロファイル判定装置５４０はユーザにプロファイルを確立するよう問い合わせる。プロファイルは、例えば、ユーザ情報、金融情報、装置情報、セキュリティ情報、履歴情報、取引情報、許可された受取人情報、あるいは同様のものを含み得る。ひとたびプロファイル判定装置５４０がユーザプロファイルを判定すると、ユーザプロファイルはコントローラ５１０およびメモリ５３０と協同で、ユーザプロファイルデータベース５６０に格納される。次に、入力装置２４０およびディスプレイ装置２５０を介して、ユーザは被支払人およびその被支払人に送信される金額を選択する。この情報はそれから、支払い処理システム５００に転送される。
【００２１】
［００２４］  さらに、この発明のシステムおよび方法は、ファイヤウオールや、当業者にはよく知られている暗号化のような各種安全手段を組み込むことができ、取引に関連する一以上の当事者をさらに保護するために使用され得る。例えば、支払い処理システム５００はファイヤウオールの後ろに位置決めされ、ワイヤレス装置２００とワイヤ装置３００の間、あるいはその一部の全ての通信は暗号化され得る。同様に、支払い処理システム５００およびワイヤあるいはワイヤレス装置は、取引に関連するユーザをさらに保護するためにパスワードを使用することができる。
【００２２】
［００２５］  この発明の模範的な実施例において、被支払人および金額を選択するほかに、ユーザはまた支払い処理システム５００に転送される自分の口座に対するパスワードを入力することも要求される。支払い処理システム５００は、コントローラ５１０、入出力インターフェイス５２０、メモリ５３０およびセキュリティ装置５５０と協同して、パスワードが正確か否かを判定する。
【００２３】
［００２６］  パスワードが正確でなければ、ユーザは例えば、パスワードを再入力するように促がされ得る。代わりに、予め定められた回数の不正確なパスワードの試みの後、セキュリティ装置５５０は、例えば、自分のパスワードが何であったであろうかについてユーザにヒントを提供してもよいシークレットワードを例えばユーザに促がすことができる。予め定められた回数の不正確な試みの後、ユーザが依然としてシステムにログインできなければ、支払い処理システム５００は、例えば、追加の行動がなされるまで、その特定のユーザを締め出す、あるいはさもなければ一時的にその口座を動作しないようにすることができる。従って、支払い処理システム５００は、自分の認証の試みの状態をユーザに提供するために、ユーザと通信することができる。
【００２４】
［００２７］  提出されたパスワードが正しければ、支払い処理システム５００は、ユーザプロファイルデータベース５６０、コントローラ５１０およびメモリ５３０と協同して、口座の状態、装置識別および／またはユーザ情報を検証する。例えば資金が不十分であるとか、口座に障害があるとか、以前の不正な活動あるいはユーザが検出されるとか等によって、もし取引が許可されなければ、その旨のメッセージがユーザに転送され得る。取引が許可されれば、支払い処理システム５００は、ユーザプロファイルデータベース５６０と協同して、被支払人プロファイルが利用可能であるかを判定する。被支払人プロファイルが利用可能でなければ、プロファイル判定装置５４０は被支払人プロファイルを判定あるいは要求できる。例えば、支払い処理システム５００は、プロファイル判定装置５４０、コントローラ５１０、入出力インターフェイス５２０およびメモリ５３０と協同して、例えばメモリ４３０に格納され得るプロファイル情報についてクレジット装置４００を促がすことができる。クレジット装置４００から受信した情報はそれから、ユーザプロファイルデータベース５６０に格納される。代わりに、プロファイル判定装置５４０は、例えばプレゼンス、別のプロファイルデータベースあるいは同様のもののような、例えばルックアップ技術、識別情報に基づいて、クレジット装置４００に対するプロファイルを判定することができる。
【００２５】
［００２８］  被支払人情報が利用可能であれば、被支払人情報は検証され、従って取引の完了を許可する。次に、取引データベース５７０、取引処理装置５８０、コントローラ５１０、入出力インターフェイス５２０およびメモリ５３０は、取引を完了するために関連する当事者間で必要なデビットおよびクレジット手順を完了する。特に、支払い処理システム５００は、ネットワーク１０、リンク５を介して、そしてコントローラ４１０、入出力インターフェイス４２０、メモリ４３０および口座管理装置４４０と協同して、正確に被支払人に入金する。代わりに、被支払人についての口座情報は、例えばネットワーク１０上のどこかといった遠くに格納されてもよい。取引の完了に成功すると、一以上の支払人および被支払人は、取引が完了したことを通知され得る。通知は、例えば金額、当事者、時間および日付情報を含み得る。さらに、通知は、例えば取引に関連する商品および／またはサービスの明細、口座情報および領収書を含み得る。
【００２６】
［００２９］  図２は、例えばユーザプロファイルデータベース５６０に格納され得る模範的なプロファイルを例示する。模範的なプロファイル６００は、ユーザ情報６１０、金融情報６２０、装置情報６３０、セキュリティ情報６４０、履歴情報６５０および取引情報６６０を含む。ユーザ情報６１０は、例えば名前、年齢、住所、都市、州、電話、ＦＡＸ、ｅメールアドレス、ワイヤレス電話の番号、あるいは同様のもののようなユーザに関する個人情報を含み得る。金融情報部６２０は、例えば、口座情報、銀行情報、残高情報、あるいは同様のものを含み得る。装置情報部６３０は、例えば、ユーザに関連する一以上のワイヤあるいはワイヤレス装置の識別子、あるいは同様のものを含み得る。例えば、これらの装置識別子は、ＩＰアドレス、電子番号識別子（ＥＮＵＭ）、あるいは同様のものであり得る。セキュリティ情報部６４０は、例えばパスワード情報、暗号化情報、不正関連データ要素あるいはフラグ、あるいは同様のものを含む。履歴情報部６５０は、例えば過去の取引情報、過去の支出情報、過去の購入情報、あるいは同様のものを含む。取引情報部６６０は、例えば、一以上の取引に関する金額、日付、時間および当事者に関係する情報を含む。概して、ユーザプロファイル６００は、一以上の当事者間で取引を促進するために使用され得るあらゆる情報を含み得る。
【００２７】
［００３０］  図３はこの発明に従う、取引を完了するための方法の模範的な実施例を説明する。特に、制御はステップＳ１００で開始し、ステップＳ１１０へと続く。ステップＳ１１０では、これはシステムの最初の使用か否かについての判定がなされる。もし最初の使用でなければ、制御はステップＳ１３０へ飛ぶ。そうでなければ、制御はステップＳ１２０へ続き、ユーザプロファイルが確立される。それから制御はステップＳ１３０へ続く。
【００２８】
［００３１］  ステップＳ１３０で、被支払人が選択される。次にステップＳ１４０で、金額が選択される。それからステップＳ１５０でパスワードが入力される。制御はそれからステップＳ１６０へ続く。
【００２９】
［００３２］  ステップＳ１６０で、被支払人、金額およびパスワード情報が、支払い処理システムへ転送される。次にステップＳ１７０で、パスワードが正確であるか否かの判定がなされる。パスワードが正しければ、制御はステップＳ２２０へ飛ぶ。そうでなければ、制御はステップＳ１８０へ続く。ステップＳ１８０で、パスワードの再入力を許可するか否かについての判定がなされる。パスワードの再入力が許可されれば、制御はステップＳ２００へ続き、メッセージがユーザに送信される。次に、ステップＳ２１０で、ユーザはパスワードを再入力し、制御はステップＳ１７０に戻る。
【００３０】
［００３３］  パスワードの再入力が許可されなければ、制御はステップＳ１９０へ続き、メッセージがユーザに送信される。制御はそれからステップＳ３１０へ飛び、制御のシーケンスは終了する。
【００３１】
［００３４］  ステップＳ２２０で、口座データが検証される。次にステップＳ２３０で、ユーザ装置の識別が検証される。それからステップＳ２４０で、取引が許可されるか否かについての判定がなされる。取引が許可されれば、制御はステップＳ２６０へ続く。そうでなければ、制御はステップＳ２５０へ飛び、メッセージがユーザに送信され、制御シーケンスは終了する。
【００３２】
［００３５］  ステップＳ２６０で、被支払人プロファイル情報が利用可能であるか否かについての判定がなされる。被支払人プロファイル情報が利用可能であれば、制御はステップＳ２８０へ続く。ステップＳ２８０で、被支払人情報が検証される。それから制御はステップＳ２９０へ続く。
【００３３】
［００３６］  被支払人プロファイルが利用可能でなければ、制御はステップＳ２７０へ飛び、被支払人プロファイル情報が判定されるか、あるいは被支払人から要求される。それから制御はステップＳ２９０へ飛ぶ。
【００３４】
［００３７］  ステップＳ２９０で、取引が完了し、適切な口座がデビットおよび／またはクレジットされる。次にステップＳ３００で、検証メッセージが取引に関連する一以上の当事者に送信される。それから制御はステップＳ３１０へ続き、制御シーケンスは終了する。
【００３５】
［００３８］  図１に示されているように、取引システムは１つのプログラムされた汎用コンピュータ、あるいは別個のプログラムされた汎用コンピュータのいずれか上で実行され得る。しかしながら、取引システムはまた特殊用途のコンピュータ、プログラムされたマイクロプロセッサあるいはマイクロコントローラ、および周辺統合回線要素、ＡＳＩＣ、あるいは他の統合された回路、デジタル信号処理専用プロセッサ、ハードワイヤ電子あるいは離散的要素回路のような論理回路、ＰＬＤ、ＰＬＡ、ＦＰＧＡ、ＰＡＬのようなプログラム可能な論理装置、あるいは同様のものの上でも実行され得る。概して、図３に示されているフローチャートを順に実行できる、有限状態機械を実行できるあらゆる装置が、この発明に従って取引システムを実行するために使用され得る。
【００３６】
［００３９］  さらに、開示されている方法は、オブジェクト、あるいはオブジェクト指向のソフトウエア開発環境を使用するソフトウエアで容易に実行されてもよい。その環境は、各種コンピュータあるいはワークステーションのハードウエアプラットフォーム上で使用され得る、ポータブルなソースコードを提供する。代わりに、開示された取引システムは、標準の論理回路構成あるいはＶＬＳＩデザインを使用するハードウエアにおいて部分的にあるいは完全に実行されてもよい。この発明に従うシステムを実行するために、ソフトウエアあるいはハードウエアのいずれを使用するかは、利用されているシステム、特定の機能、および特定のソフトウエア、あるいはハードウエアシステム、あるいはマイクロプロセッサもしくはマイクロコンピュータシステムのスピードおよび／または能率要求に依存する。しかしながら、ここで説明されている電子メッセージ管理システムおよび方法は、適用可能な技術分野の当業者によって、あらゆる公知、あるいは、後に開発されたシステム、あるいは構造、装置および／またはソフトウエアを使用する、ハードウエアおよび／またはソフトウエアにおいて、ここで提供される機能の説明、および、コンピュータ技術の一般的な基本知識をもって、容易に実行され得る。
【００３７】
［００４０］  さらに、開示された方法は、プログラムされた汎用コンピュータ、特殊用途のコンピュータ、マイクロプロセッサ、あるいは同様のものの上で実行されるソフトウエアとして、容易に実行されてもよい。これらの例において、この発明の方法およびシステムは、ＪＡＶＡＳあるいはＣＧＩスクリプトのような個人用情報電子機器システムに埋め込まれたプログラムとして、サーバもしくはグラフィックワークステーション上に常駐するリソースとして、専用の取引処理システム、ウエブブラウザ、携帯電話に動作可能な電子メッセージ、ＰＤＡ、器具、専用取引システム、あるいは同様のものに埋め込まれたルーチンとして、実行され得る。取引システムはまた、サーバおよびワイヤあるいはワイヤレス装置のハードウエアおよびソフトウエアのような、ソフトウエアおよび／またはハードウエアシステムにシステムを物理的に組み込むことで、実行され得る。
【００３８】
［００４１］  従って、この発明に従って、通貨または金融資金の取引を許可するためのシステムおよび方法が提供されることが、明白である。この発明が多数の実施例と関連して記載されたが、多くの代替案、修正および変形が当業者には存在しあるいは明白であることは、明らかである。従って、この発明の精神および範囲内で、そのような代替案、修正、均等物および変形をすべて包含することが意図される。
【図面の簡単な説明】
【００３９】
［００１１］  この発明の実施例を、以下の図面を参照して、詳細に説明する。
【００４０】
［００１２］
【図１】この発明に従う、模範的な取引システムを説明する機能的なブロック図である。
【００４１】
［００１３］
【図２】この発明に従う、模範的なプロファイルを例示する図である。
【００４２】
［００１４］
【図３】この発明に従う、通貨あるいは金融資金を送信するための模範的な方法を概説するフローチャートである。
【図１】
2005502952.tif 000002
【図２】
2005502952.tif 000003
【図３】
2005502952.tif 000004
【国際公開パンフレット】
2005502952.tif 000005
2005502952.tif 000006
2005502952.tif 000007
2005502952.tif 000008
2005502952.tif 000009
2005502952.tif 000010
2005502952.tif 000011
2005502952.tif 000012
2005502952.tif 000013
2005502952.tif 000014
2005502952.tif 000015
2005502952.tif 000016
2005502952.tif 000017
2005502952.tif 000018
2005502952.tif 000019
2005502952.tif 000020
2005502952.tif 000021
2005502952.tif 000022
2005502952.tif 000023
2005502952.tif 000024
2005502952.tif 000025
2005502952.tif 000026
【国際公開パンフレット（コレクトバージョン）】
2005502952.tif 000027
【国際調査報告】
2005502952.tif 000028